(57)【特許請求の範囲】
【請求項１】
電子機器のバッテリを充電するために電力供給装置から充電電圧を取得する充電手段と、
バッテリを冷却するための冷却手段と、
前記充電手段によって前記バッテリが充電されているときに前記バッテリを流れる電流を検出し、充電電流を検出したときに、前記充電手段に前記冷却手段を電気的に接続して、前記充電手段の出力電圧を前記冷却手段に印加して、冷却手段を動作させるスイッチ手段と、
を備えることを特徴とする充電装置。
【請求項２】
前記冷却手段は、電流が流れることにより冷却動作を行う冷却素子から構成され、
前記スイッチ手段は、電流路が冷却手段と前記充電手段とを接続する回路に挿入されており、前記バッテリを流れる充電電流によりオンして、前記電流路を通電状態とするスイッチ素子から構成されている、
ことを特徴とする請求項１に記載の充電装置。
【請求項３】
前記スイッチ手段は、コレクタ・エミッタパスが前記冷却素子と前記充電手段とを接続する回路に挿入されており、前記バッテリを流れる充電電流がベースに供給されるバイポーラトランジスタから構成されている、
ことを特徴とする請求項２に記載の充電装置。
【請求項４】
前記充電手段は、直流電圧を出力する回路に接続され、供給された直流電圧を前記バッテリに印加する手段から構成される、
ことを特徴とする請求項１乃至３のいずれか１項に記載の充電装置。
【請求項５】
前記冷却手段は、ペルチエ素子を備える、
ことを特徴とする請求項１乃至４のいずれか１項に記載の充電装置。
【請求項６】
充電対象のバッテリと該バッテリに接続された一対の充電電極を備える電子機器が載置され、載置された電子機器の一対の充電電極に接触する一対の充電端子を有するホルダを備え、
前記充電手段は、前記一対の充電端子間に充電用の電圧を印加し、
前記スイッチ手段は、オンすることにより、前記充電手段の出力電圧を前記冷却手段に印加する、
ことを特徴とする請求項１乃至５のいずれか１項に記載の充電装置。
【請求項７】
前記充電手段は、供給される交番磁界に応答して交流電圧を生成する手段と、生成した交流電圧を整流及び平滑化して、充電用の電圧を生成する手段とを備える、
ことを特徴とする請求項１乃至５のいずれか１項に記載の充電装置。
【請求項８】
前記スイッチ手段がオンすることにより、
充電対象のバッテリと、前記冷却素子とは、並列に前記充電手段に接続され、並列に充電電圧が印加される、
ことを特徴とする請求項２に記載の充電装置。
【請求項９】
電子機器のバッテリを充電するために電力供給装置から充電電圧を取得する充電手段と、
バッテリを冷却するための冷却手段と、
前記充電手段によって前記バッテリが充電されているときに前記バッテリを流れる電流を検出し、充電電流を検出したときに、前記充電手段に前記冷却手段を電気的に接続して、前記充電手段の出力電圧を前記冷却手段に印加して、冷却手段を動作させるスイッチ手段と、
交番磁界を生成する手段を備える台と、を備え、
前記充電手段と、前記冷却手段と、前記スイッチ手段は冷却対象の電子機器に組み込まれており、
前記充電手段は、前記交番磁界に応答して交流電圧を生成する手段と、生成した交流電圧を整流及び平滑化して、充電用の電圧を生成する手段と、を備える、
ことを特徴とする充電システム。
【発明の詳細な説明】
【技術分野】
【０００１】
本発明は、電子機器を冷却する機能を備える充電装置及び充電システムに関する。
【背景技術】
【０００２】
バッテリに蓄積した電力により動作する電子機器が多数存在する。この種の電子機器では、バッテリを適宜充電する必要がある。バッテリは、充電中に発熱する。特に、充電中に電子機器を使用すると発熱量が増大する。このため、充電中のバッテリを冷却することが望まれる。このような課題に鑑み、電子機器を冷却しつつバッテリを充電する様々な提案がなされている。例えば、引用文献１には、卓上ホルダに携帯端末を載置することで電子機器の充電を開始すると、卓上ホルダ内部に配置された冷却装置によって携帯端末を冷却する携帯端末放熱装置が開示されている。この放熱装置によれば、バッテリの充電中のみ冷却装置を稼働させる事が可能となり、充電と冷却を効率的に行うことができる。
【先行技術文献】
【特許文献】
【０００３】
【特許文献１】特開２００９−２００６５２号公報
【発明の概要】
【発明が解決しようとする課題】
【０００４】
特許文献１に記載された携帯端末放熱装置では、バッテリと冷却装置とが直列に接続されているため、冷却装置に発生する電圧降下の影響により、電源電圧より電圧降下分低下した電圧しかバッテリに印加できない。このため、電子機器を効率よく充電するという観点から見ると未だ十分ではない。バッテリと冷却装置に並列に電力を供給すれば、電圧降下による問題は解決できるが、充電動作とは別に冷却装置の電源をオン・オフしなければならず、煩雑であり、非効率である。
【０００５】
本発明は、上記事情に鑑みてなされたものであり、バッテリの充電と冷却を効率良く実施することのできる充電装置、及び充電システムを提供することを目的とする。
【課題を解決するための手段】
【０００６】
本発明の第１の観点に係る充電装置は、
電子機器のバッテリを充電するために電力供給装置から充電電圧を取得する充電手段と、
バッテリを冷却するための冷却手段と、
前記充電手段によって前記バッテリが充電されているときに前記バッテリを流れる電流を検出し、充電電流を検出したときに、前記充電手段に前記冷却手段を電気的に接続して、前記充電手段の出力電圧を前記冷却手段に印加して、冷却手段を動作させるスイッチ手段と、
を備えることを特徴とする。
【０００７】
本発明の第２の観点に係る充電システムは、
電子機器のバッテリを充電するために電力供給装置から充電電圧を取得する充電手段と、
バッテリを冷却するための冷却手段と、
前記充電手段によって前記バッテリが充電されているときに前記バッテリを流れる電流を検出し、充電電流を検出したときに、前記充電手段に前記冷却手段を電気的に接続して、前記充電手段の出力電圧を前記冷却手段に印加して、冷却手段を動作させるスイッチ手段と、
交番磁界を生成する手段を備える台と、を備え、
前記充電手段と、前記冷却手段と、前記スイッチ手段は冷却対象の電子機器に組み込まれており、
前記充電手段は、前記交番磁界に応答して交流電圧を生成する手段と、生成した交流電圧を整流及び平滑化して、充電用の電圧を生成する手段と、を備える、
ことを特徴とする。
【発明の効果】
【０００９】
本発明によれば、バッテリを効率よく充電すると共に冷却することができる。
【図面の簡単な説明】
【００１０】
【図１】（ａ）は、本発明の実施の形態１に係る充電装置の回路構成を示す回路図、（ｂ）は、電子機器を充電装置に装着した状態の回路図である。
【図２】（ａ）は本発明の実施の形態１に係る充電装置が配置される卓上ホルダの側面図、（ｂ）は、卓上ホルダの凹部の平面図である。
【図３】（ａ）は、本発明の実施の形態１に係る充電装置により充電及び冷却される電子機器の側面図、（ｂ）は、電子機器の背面図、（ｃ）は、電子機器の回路図である。
【図４】卓上ホルダに電子機器を載置した状態を示す図である。
【図５】スイッチの変形例を示す回路図である。
【図６】充電装置の変形例を示す回路図である。
【図７】（ａ）は、ペルチエ素子が組み込まれた電子機器の回路図、（ｂ）は、電子機器を電源に装着した状態の回路図である。
【図８】実施の形態２に係る無接点充電方式における充電システムの構成を示す概略図である。
【図９】実施の形態２に係る充電システムの回路図である。
【図１０】（ａ）は、実施の形態２に係る電子機器の背面図、（ｂ）は、側面図である。
【発明を実施するための形態】
【００１１】
（実施の形態１）
以下、本発明の実施の形態に係る冷却機能を備える充電装置について、図１〜図２を参照して説明する。
【００１２】
本実施の形態に係る充電装置１０は、携帯情報端末等の電子機器２０のバッテリの充電時等に、電子機器２０を冷却（放熱）するための装置であり、図１（ａ）に示すように、正充電端子１１＋と、負充電端子１１−と、ペルチエ素子１２と、スイッチ１３と、を備え、ＡＣ（Alternating Current）アダプタ１４に接続されている。
【００１３】
この充電装置１０は、図２（ａ）に示すような卓上ホルダ３０に搭載される。
【００１４】
卓上ホルダ３０には、携帯情報端末等の電子機器２０を保持するための凹部３１が形成されている。凹部３１は、充電対象の電子機器２０を、所定の姿勢で保持する。凹部３１の底部には、電子機器２０が卓上ホルダ３０に載置されたとき、電子機器２０の充電端子に接続されるように前述の充電端子１１＋と１１−とがバネ等により突出、及び没入可能に配置されている（図２（ａ）、（ｂ））。さらに、凹部３１内には、電子機器２０を固定保持する嵌合爪などの保持部が適宜形成されている。
【００１５】
また、凹部３１の底部には、ペルチエ素子１２が配置されている。ペルチエ素子１２は、電子機器２０のバッテリ２１に対向する面に冷却面（吸熱面）を向けて配置され、その裏面（放熱面）にはヒートシンク３２が配置されている。
【００１６】
卓上ホルダ３０には、ＡＣアダプタ１４が接続され、図１（ａ）に示すように、ＡＣアダプタ１４の正電極が正充電端子１１＋に、負電極が負充電端子１１−に接続されている。
【００１７】
充電対象の電子機器２０は、本実施形態では、図３（ａ）、（ｂ）に示す携帯情報端末であり、内部に駆動電源として機能するバッテリ２１と正充電電極２２＋と負充電電極２２−が配置されている。正充電電極２２＋と負充電電極２２−は、電子機器２０の背面に露出し、図３（ｃ）に示すように、それぞれ、バッテリ２１の正電極と負電極に接続され、電子機器２０の背面に露出している。
【００１８】
図４に示すように、卓上ホルダ３０の凹部３１内に電子機器２０が所定の向きに載置されると、正充電端子１１＋と電子機器２０の正充電電極２２＋が接触し、充電装置１０の負充電端子１１−と電子機器２０の負充電電極２２−が接触する。
【００１９】
充電装置１０のスイッチ１３は、ＮＰＮバイポーラトランジスタから構成され、図１（a）に示すように、そのソースがペルチエ素子１２の負電源端子に接続され、エミッタがＡＣアダプタ１４の負電極に接続され、ベースが負充電端子１１−に接続されている。
【００２０】
ＡＣアダプタ１４は、卓上ホルダ３０に接続されており、その正極は、正充電端子１１＋とペルチエ素子１２の正電源端子に接続され、その負極は、スイッチ１３を構成するＮＰＮトランジスタのエミッタに接続されている。ＡＣアダプタ１４は、商用電源を直流変換して、正充電端子１１＋及びペルチエ素子１２の負電源端子とスイッチ１３を構成するＮＰＮトランジスタのエミッタとの間に直流電圧を印加する。
【００２１】
次に、本実施形態に係る電子機器冷却装置の動作について説明する。
卓上ホルダ３０に電子機器２０が載置されていない図１（ａ）、図２（ａ）に示す状態では、ＡＣアダプタ１４の出力電圧は、正充電端子１１＋と負充電端子１１−の間に印加されているが、スイッチ１３の制御端子、即ち、ＮＰＮバイポーラトランジスタのベースはオープン状態にあり、ベース電流は流れない。このため、ＮＰＮバイポーラトランジスタはオフ状態を維持する。このため、ペルチエ素子１２に、ＡＣアダプタ１４から電流が流れることはない。従って、消費電力はほぼ０の状態が維持される。
【００２２】
この状態で、図４に示すように、卓上ホルダ３０に電子機器２０が載置されたとする。
すると、正充電端子１１＋と電子機器２０の正充電電極２２＋、負充電端子１１−と電子機器２０の負充電電極２２−とが接触する。このため、図３（ｃ）に示す電子機器２０の回路が、図１（ａ）に示す充電装置１０の回路に接続されることとなり、図１（ｂ）に示す回路が成立する。
【００２３】
このため、ＡＣアダプタ１４の正電極→正充電端子１１＋→正充電電極２２＋→バッテリ２１→負充電電極２２−→負充電端子１１−→スイッチ１３を構成するバイポーラトランジスタのベース→バイポーラトランジスタのエミッタ→ＡＣアダプタ１４の負電極という電流ループが形成され、バッテリ２１に充電電流が流れ始め、充電が開始する。バッテリ２１は、充電の開始により発熱を開始する。このとき、ＡＣアダプタ１４と充電端子１１＋及び１１−を接続する回路は、ＡＣアダプタ１４からの直流電圧（電力）をバッテリ２１に印加して、バッテリ２１を充電する充電手段として機能する。
【００２４】
この充電電流が流れることにより、スイッチ１３を構成するＮＰＮトランジスタのベース・エミッタパスに電流が流れ、ベース・エミッタ間が逆バイアスされ、トランジスタがオンし、そのコレクタ・エミッタパスが導通する。即ち、スイッチ１３は、その電流路が冷却手段として機能しているペルチエ素子１２と前述の充電手段との間に挿入されており、オンして電流路を導通する。
【００２５】
このため、ＡＣアダプタ１４から、ペルチエ素子１２に電流が流れ始める。ペルチエ素子１２は、通電により、電子機器２０側を冷却し（熱を吸収し）、ヒートシンク３２側に吸収した熱を出力する（図４）。即ち、スイッチ１３は、充電電流を検出し、充電電流を検出したときに、前述の充電手段に冷却手段としてのペルチエ素子１２を電気的に接続して、充電手段の出力電圧を冷却素子に印加して、冷却素子を動作させるスイッチ手段として機能する。
このとき、バッテリ２１とペルチエ素子１２とは、並列に充電手段に接続され、ＡＣアダプタ１４の出力電圧は、並列に印加される。
【００２６】
ヒートシンク３２は、ペルチエ素子１２が電子機器２０から移動した熱とペルチエ素子１２自身の発した熱を放散する。
【００２７】
こうして、ＡＣアダプタ１４にバッテリ２１とペルチエ素子１２とが並列に接続された状態で、充電が進行する。この間、バッテリ２１には、ＡＣアダプタ１４の出力電圧（ＡＣアダプタ１４の出力電圧−トランジスタのベース・エミッタ間電圧）程度の電圧が印加される。
【００２８】
こうしてバッテリ２１は徐々に充電され、それに伴う発熱は、ペルチエ素子１２とヒートシンク３２の作用により放熱される。
【００２９】
バッテリ２１が満充電に近くなると、充電電流が徐々に減少し、その発熱量も徐々に減少する。一方、スイッチ１３を構成するトランジスタのベース・エミッタ間電圧が徐々に増加する。このため、ペルチエ素子１２に印加される電圧が徐々に減少する。よって、バッテリ２１の発熱量の減少に伴って、冷却部の冷却能力が徐々に低下する。
【００３０】
バッテリ２１の充電が完了すると、充電電流が流れなくなり、スイッチ１３を構成するトランジスタのベース・エミッタ間にも電流が流れなくなる。このため、トランジスタがオフし、そのコレクタ・エミッタ間に電流が流れなくなり、ペルチエ素子１２にも電流が流れなくなり、冷却動作を停止する。
【００３１】
また、充電途中で、ユーザが、電子機器２０を卓上ホルダ３０から取り外した場合、電子機器２０の充電電極２２＋、２２−と充電装置１０の充電端子１１＋，１１−とが離間し、充電電流が流れなくなり、充電が停止する。
また、スイッチ１３を構成するトランジスタのベースに流れる電流も遮断され、トランジスタはオフする。このため、ペルチエ素子１２の稼働も停止し、冷却動作を停止する。
【００３２】
以上説明したように、本実施の形態１に係る充電装置１０によれば、電子機器２０のバッテリ２１の充電開始に伴って、ペルチエ素子１２の冷却動作が自動的に開始する。
また、ＡＣアダプタ１４にバッテリ２１とペルチエ素子１２とが並列に接続されるため、バッテリ２１には、ＡＣアダプタ１４の出力電圧がほぼそのまま印加され、ほぼフル電圧で充電され、ペルチエ素子１２によって充電電圧が低下するといった問題は発生しない。
【００３３】
なお、上記実施の形態は、種々の変形及び応用が可能である。
例えば、上記実施の形態においては、スイッチ１３として、ＮＰＮバイポーラトランジスタを使用したが、スイッチ１３の構成は、充電電流によって、オンするスイッチであるならば、任意の構成を使用可能である。
【００３４】
例えば、図５に示すように、スイッチ１３としてＭＯＳトランジスタを使用し、充電電流により、ゲート電圧が発生するように構成すれば、ＭＯＳトランジスタを使用することも可能である。ただし、図５の回路の場合、抵抗Ｒでの電圧降下が発生し、バッテリ２１の充電電圧がＡＣアダプタ１４の出力電圧よりも低下する。このため、図１（ａ）の回路が望ましい。また、スイッチ１３としてリレーなどを使用することも可能である。
【００３５】
冷却部材として、ペルチエ素子１２とヒートシンク３２を使用したが、スイッチ１３がオンすることにより流れる電流により動作するならば、他の構成、例えば、送風機、水冷用のポンプなどを使用してもよい。
【００３６】
上記実施の形態においては、ＡＣアダプタ１４の出力電圧を、充電端子１１＋と１１−の間に印加したが、例えば、図６に示すように、ＡＣアダプタ１４の出力電圧を充電用の電圧に変換する充電回路１６を設け、充電回路１６の出力電圧をバッテリ２１とペルチエ素子１２に並列に印加するようにしてもよい。
【００３７】
充電装置１０を、平置き型の卓上ホルダ３０に組み込む例を示したが、卓上ホルダの構成は任意であり、縦置き型などでもよい。また、クレードル等でもよい。さらに、ＡＣアダプタ１４を外部接続する例を示したが、ＡＣアダプタが組み込まれている形態でもよい。
【００３８】
また、上記実施の形態において、ペルチエ素子１２、及びスイッチ１３を、卓上ホルダ３０に組み込む例を示したが、図７（ａ）に示すように電子機器２０に組み込んでも良い。卓上ホルダ３０には、充電端子１１＋と１１−を配置しておく（図７（ｂ））。電子機器２０が卓上ホルダ３０に載置されると、図７（ｂ）に示すように、図１（ｂ）の回路と同じ動作をする回路が成立する。この形態では、電子機器２０が充電しながらに効率的にバッテリを冷却する機能を備える。よって、卓上ホルダ３０が図７（ｂ）に示すような冷却手段を持たない一般的な構成であっても同様の効果が得られる。
【００３９】
（実施の形態２）
上記実施の形態１においては、充電装置１０の充電端子１１＋、１１−と電子機器２０の充電電極２２＋、２２−の接触により、充電装置１０から電子機器２０に電力を供給したが、これは一例である。例えば、いわゆる無接点充電方式での電力供給も可能である。
以下、このような構成の実施の形態２を説明する。
【００４０】
本実施の形態の冷却機能付き充電システムは、図８に示すように、無接点充電台１００と、電子機器２０内に配置された充電回路とを備える。
【００４１】
図９に示すように、無接点充電台１００には、一次誘導コイル（給電コイル）１１２が配置され、この一次側誘導コイ１１２には、商用電源１１１が供給されている。
【００４２】
一方、電子機器２０内には、二次誘導コイル（受電コイル）２１１、フルブリッジ回路２１２、平滑化回路２１３、ペルチエ素子１２、スイッチ１３、バッテリ２１が配置されている。
【００４３】
二次誘導コイル２１１は、図１０（ａ）に平面で、（ｂ）に側面で示すように、電子機器２０を無接点充電台１００に載置したときに、無接点充電台１００と接する面に大きい径で形成されている。
【００４４】
また、電子機器２０内にバッテリ２１とペルチエ素子１２が積層されて配置される。バッテリ２１はペルチエ素子１２よりも内側に配置され、ペルチエ素子１２は、吸熱面をバッテリ２１に向け、放熱面を電子機器２０の外側に向けて配置されている。
【００４５】
次に、上記構成の冷却機能付き充電システムの動作を説明する。
電子機器２０が無接点充電台１００上に置かれると、一次誘導コイル１１２が生成する交番磁界が電子機器２０内の二次誘導コイル２１１と交差し、二次誘導コイル２１１が交流電圧を発生する。
【００４６】
発生した交流電圧は、フルブリッジ回路２１２により全波整流され、さらに、平滑化回路２１３により平滑化されて、安定した直流電圧となって、ペルチエ素子１２とバッテリ２１に印加される。こうして、二次誘導コイル２１１とフルブリッジ回路２１２と平滑化回路２１３とは、充電手段として機能する。
【００４７】
この状態で、バッテリ２１がフル充電の状態でなければ、バッテリ２１を充電電流が流れ、この充電電流は、スイッチ１３を構成するＮＰＮトランジスタ１３のベース・エミッタを流れて、ベース・エミッタ間を逆バイアスし、スイッチ１３がオンする。これにより、ペルチエ素子１２にも電流が流れ、ペルチエ素子１２が冷却動作を開始し、バッテリ２１が冷却される。即ち、スイッチ１３は、充電電流を検出してオンするスイッチ手段として機能し、ペルチエ素子１２は冷却手段として冷却動作を行い、バッテリ２１と冷却手段とが並列に充電手段に接続される。
【００４８】
バッテリ２１の充電が完了すると、充電電流が流れなくなり、スイッチ１３がオフし、そのコレクタ・エミッタパスが非導通となり、ペルチエ素子１２を電流が流れなくなり、その冷却動作も停止する。
【００４９】
このような構成によれば、電子機器２０は、無接点充電台１００の上に載置されるだけで充電及び冷却される。
また、整流回路２１３が生成する電圧が並列にバッテリ２１とペルチエ素子１２に印加される。従って、バッテリ２１を効率良く充電することができる。
【００５０】
実施の形態２においても、回路構成は適宜変更可能である。例えば、図９では、商用電源から交番磁界を生成する例を示したが、より高周波の交流電圧を生成して一次コイルに供給することにより、より高い周波数の交番磁界を生成してもよい。
また、整流回路、平滑化回路としては、既知の任意の回路を使用可能である。
【００５１】
また、上記各実施の形態では、電子機器２０として携帯情報端末を例示したが、本発明の電子機器は、バッテリ駆動されるものならば任意であり、例えば、ゲーム機、ＰＨＳ（Personal Handy-phone System）、ＰＤＡ（Personal Digital Assistant又はPersonal Data Assistance）、スマートフォン、タブレットＰＣ（Personal Computer）、ノートブックＰＣ、等であってもよい。
【００５２】
上記の実施形態の一部又は全部は、以下の付記のようにも記載されうるが、以下には限られない。
【００５３】
（付記１）
電子機器のバッテリを充電するために電力供給装置から充電電圧を取得する充電手段と、
バッテリを冷却するための冷却手段と、
前記充電手段によって前記バッテリが充電されているときに前記バッテリを流れる電流を検出し、充電電流を検出したときに、前記充電手段に前記冷却手段を電気的に接続して、前記充電手段の出力電圧を前記冷却手段に印加して、冷却手段を動作させるスイッチ手段と、
を備えることを特徴とする充電装置。
【００５４】
（付記２）
前記冷却手段は、電流が流れることにより冷却動作を行う冷却素子から構成され、
前記スイッチ手段は、電流路が冷却手段と前記充電手段とを接続する回路に挿入されており、前記バッテリを流れる充電電流によりオンして、前記電流路を通電状態とするスイッチ素子から構成されている、
ことを特徴とする付記１に記載の充電装置。
【００５５】
（付記３）
前記スイッチ手段は、コレクタ・エミッタパスが前記冷却素子と前記充電手段とを接続する回路に挿入されており、前記バッテリを流れる充電電流がベースに供給されるバイポーラトランジスタから構成されている、
ことを特徴とする付記２に記載の充電装置。
【００５６】
（付記４）
前記充電手段は、直流電圧を出力する回路に接続され、供給された直流電圧を前記バッテリに印加する手段から構成される、
ことを特徴とする付記１乃至３のいずれか１に記載の充電装置。
【００５７】
（付記５）
前記冷却手段は、ペルチエ素子を備える、
ことを特徴とする付記１乃至４のいずれか１に記載の充電装置。
【００５８】
（付記６）
充電対象のバッテリと該バッテリに接続された一対の充電電極を備える電子機器が載置され、載置された電子機器の一対の充電電極に接触する一対の充電端子を有するホルダを備え、
前記充電手段は、前記一対の充電端子間に充電用の電圧を印加し、
前記スイッチ手段は、オンすることにより、前記充電手段の出力電圧を前記冷却手段に印加する、
ことを特徴とする付記１乃至５のいずれか１に記載の充電装置。
【００５９】
（付記７）
前記充電装置は、前記冷却対象のバッテリを備える電子機器に組み込まれている、
ことを特徴とする付記１乃至５のいずれか１に記載の充電装置。
【００６０】
（付記８）
前記充電手段は、供給される交番磁界に応答して交流電圧を生成する手段と、生成した交流電圧を整流及び平滑化して、充電用の電圧を生成する手段とを備える、
ことを特徴とする付記１乃至５のいずれか１に記載の充電装置。
【００６１】
（付記９）
前記スイッチ手段がオンすることにより、
充電対象のバッテリと、前記冷却素子とは、並列に前記充電手段に接続され、並列に充電電圧が印加される、
ことを特徴とする付記２に記載の充電装置。
【００６２】
（付記１０）
電子機器のバッテリを充電するために電力供給装置から充電電圧を取得する充電手段と、
バッテリを冷却するための冷却手段と、
前記充電手段によって前記バッテリが充電されているときに前記バッテリを流れる電流を検出し、充電電流を検出したときに、前記充電手段に前記冷却手段を電気的に接続して、前記充電手段の出力電圧を前記冷却手段に印加して、冷却手段を動作させるスイッチ手段と、
交番磁界を生成する手段を備える台と、を備え、
前記充電手段と、前記冷却手段と、前記スイッチ手段は冷却対象の電子機器に組み込まれており、
前記充電手段は、前記交番磁界に応答して交流電圧を生成する手段と、生成した交流電圧を整流及び平滑化して、充電用の電圧を生成する手段と、を備える、
ことを特徴とする充電システム。
【００６３】
（付記１１）
直流電圧によりバッテリを充電し、
充電により前記バッテリを流れる充電電流に応答して、冷却手段に通電して前記バッテリを冷却し、
充電電流の停止に応答して、前記冷却手段への通電を停止して前記バッテリの冷却を停止する、
ことを特徴とする充電方法。
【符号の説明】
【００６４】
１０  冷却機能を備える充電装置
１１＋，１１−  充電端子
１２  ペルチエ素子
１３  スイッチ
１４  ＡＣアダプタ
２０  電子機器
２１  バッテリ
２２＋，２２−  充電電極  
３０  卓上ホルダ
３１  凹部
３２  ヒートシンク
１００  無接点充電台
１１１  商用電源
１１２  一次誘導コイル（送電コイル）
２１１  二次誘導コイル（受電コイル）
２１２  フルブリッジ整流回路
２１３  平滑化回路
【図１】
0005884575.tif 000002
【図２】
0005884575.tif 000003
【図３】
0005884575.tif 000004
【図４】
0005884575.tif 000005
【図５】
0005884575.tif 000006
【図６】
0005884575.tif 000007
【図７】
0005884575.tif 000008
【図８】
0005884575.tif 000009
【図９】
0005884575.tif 000010
【図１０】
0005884575.tif 000011